(57)【特許請求の範囲】
【請求項１】
略平行な載置用線材と、前記載置用線材と交差し相互に平行に隣立する複数の支持用線材とを備え、前記支持用線材は、個々に独立して起立状態から略水平状態に傾倒可能な構成とした食器洗い機のかご。
【請求項２】
載置用線材と複数の支持用線材はそれぞれ連結部材を介して連結し、前記連結部材は、前記載置用線材に対して回転可能な回動部と前記支持用線材を固定する固定部とで構成した請求項１記載の食器洗い機のかご。
【請求項３】
連結部材は、少なくとも支持用線材を起立したときに係止可能な構成とした請求項１または２記載の食器洗い機のかご。
【請求項４】
連結部材は、回動部の周囲に突起部を設け、少なくとも支持用線材を起立したときにその状態を維持するように、前記突起部をかごに設けた規制用線材に当接可能な構成とした請求項３記載の食器洗い機のかご。
【請求項５】
連結部材は、少なくとも支持用線材を起立したときにその状態を維持する係止部を有し、前記係止部をかごに設けた規制用線材に係止可能な構成とした請求項３記載の食器洗い機のかご。
【請求項６】
連結部材は、回動部の周囲に突起部を有し、この突起部の近傍に略爪形状の係止部を設け、少なくとも支持用線材を起立したときに、載置用線材と略並行に設けた規制用線材に前記係止部を引っ掛けることにより係止可能な構成とした請求項５記載の食器洗い機のかご。
【請求項７】
支持用線材は、その起立時に、重心が載置用線材を境にして傾倒側とは反対側の起立側に存在するよう構成した請求項１〜６のいずれか１項に記載の食器洗い機のかご。
【請求項８】
支持用線材は、その傾倒時に、互いに対向する一対の支持用線材が干渉しない構成とした請求項１〜７のいずれか１項に記載の食器洗い機のかご。
【請求項９】
互いに対向する一対の支持用線材を、載置用線材の長手方向に相互に位置をずらすよう構成した請求項１〜８のいずれか１項に記載の食器洗い機のかご。
【請求項１０】
一方の載置用線材に連結した支持用線材を傾倒するとき、他方の載置用線材に干渉しない長さとした請求項１〜９のいずれか１項に記載の食器洗い機のかご。
【請求項１１】
連結部材は、支持用線材を傾倒したときその状態を維持する当接部を
有し、この当接部をかごに設けた規制用線材に当接可能な構成とした請求項１０記載の食器洗い機のかご。
【請求項１２】
個々の支持用線材が各々の起立状態を複数の段階で設定できるよう構成した請求項１〜１１のいずれか１項に記載の食器洗い機のかご。
【請求項１３】
連結部材は、回動部の周囲に複数の突起部を設けた請求項１２記載の食器洗い機のかご。
【請求項１４】
連結部材は、支持用線材を傾倒したとき、食器類を支持可能な支持部を設けた請求項１〜１３のいずれか１項に記載の食器洗い機のかご。
【請求項１５】
支持部を線材で構成した請求項１４記載の食器洗い機のかご。
【請求項１６】
支持用線材と連結部材を一体に構成した請求項１〜１５のいずれか１項に記載の食器洗い機のかご。
【発明の詳細な説明】
【０００１】
【発明の属する技術分野】
本発明は、洗浄ノズルより食器に向けて洗浄水を噴射して食器を洗浄する食器洗い機等の食器類を収容する食器洗い機等のかごに関する。
【０００２】
【従来の技術】
近年、洗浄槽内で回転するノズルから噴射される洗浄水によって食器かごに収容された食器を洗浄する食器洗い機が主流となっている。
【０００３】
従来、この種の食器洗い機は図１０に示すように構成していた。以下、その構成について説明する。
【０００４】
図１０に示すように、外箱１は前方に開口部を有するとともに、レール２を介して洗浄槽３を前後方向に移動可能に支持しており、上方には洗浄槽３の動きに伴って移動する蓋体４を前後および上下方向に移動可能に支持している。洗浄槽３は上方に開口部５を有するとともに、前方に扉６を設けており、外箱１の開口部を開閉する。
【０００５】
洗浄槽３内に、洗浄水を噴射する洗浄ノズル７を回転自在に設けるとともに、食器８を収容する食器かご９を配置している。食器かご９の底部に、図１１に示すように、複数の載置用線材１０を固定しており、各載置用線材１０に複数の支持用線材１１を相互に平行に略等間隔に固定している。
【０００６】
洗浄槽３内の洗浄水はヒータ１２によって温水化され、洗浄ポンプ１３にて排水口１４から吸い込まれ、洗浄ノズル７に圧送される。洗浄ノズル７より勢いよく噴射される洗浄水によって、食器かご９に収容された食器８を洗浄するように構成している。
【０００７】
【発明が解決しようとする課題】
このような従来の食器洗い機においては、食器８を食器かご９にセットする場合に、相互に平行な２本の載置用線材１０によって食器８の周端部を支持する。また、各載置用線材１０に、相互に平行に略等間隔に固定した支持用線材１１によって食器８を支持することで、載置用線材１０の長手方向に沿った食器８の移動を規制している。
【０００８】
この形態の支持部に食器類や調理器具類をセットする場合、隣り合う支持用線材１１の間隔が狭いと、鍋や深みのある食器の外周に対して支持用線材１１が障害となり、セット姿勢が不安定になったり、形状によってはセットできない場合がある。また、隣り合う支持用線材１１の間隔が広いと、比較的浅い皿類は起立状態でのセットが困難になり、洗浄ノズル７からの洗浄水を効率よく当てることができなくなるとともに、食器収容容量も低下してしまう。
【０００９】
本発明は上記課題を解決するもので、深い鍋や深みのある食器をセットする場合でも、比較的浅い皿類をセットする場合でも、安定したセット姿勢を保持できるようにし、かつ洗浄水を効率よく食器類に当てるとともに、食器収容容量を確保し、使い勝手を向上するとともに、信頼性を向上することを目的としている。
【００１０】
【課題を解決するための手段】
本発明は上記目的を達成するために、略平行な載置用線材と、前記載置用線材と交差し相互に平行に隣立する複数の支持用線材とを備え、前記支持用線材は、個々に独立して起立状態から略水平状態に傾倒可能な構成としたものである。
【００１１】
これにより、深い鍋や深みのある食器をセットする場合でも、比較的浅い皿類をセットする場合でも、安定したセット姿勢を保持することができ、かつ洗浄水を効率よく食器類に当てることができるとともに、食器類の収容容量を確保することができ、使い勝手を向上できるとともに、信頼性を向上することができる。
【００１２】
【発明の実施の形態】
本発明の請求項１に記載の発明は、略平行な載置用線材と、前記載置用線材と交差し相互に平行に隣立する複数の支持用線材とを備え、前記支持用線材は、個々に独立して起立状態から略水平状態に傾倒可能な構成としたものであり、個々の支持用線材を独立して傾倒状態または起立状態を選択可能な構成とすることにより、食器類や調理器具類の形状にかかわらず、最適な支持形態を選択することができ、安定して食器類のセット姿勢を保持することができ、かつ洗浄水を効率よく食器類に当てることができるとともに、食器類の収容容量を確保することができるため、使い勝手を向上できるとともに、信頼性を向上することができる。
【００１３】
請求項２に記載の発明は、上記請求項１に記載の発明において、載置用線材と複数の支持用線材はそれぞれ連結部材を介して連結し、前記連結部材は、前記載置用線材に対して回転可能な回動部と前記支持用線材を固定する固定部とで構成したものであり、食器類や調理器具類の形状にかかわらず、最適な支持形態を選択することができ、安定してセット姿勢を保持することができ、かつ洗浄水を効率よく食器類に当てることができるとともに、食器類の収容容量を確保することができるため、使い勝手を向上できるとともに、信頼性を向上することができる。
【００１４】
請求項３に記載の発明は、上記請求項１または２に記載の発明において、連結部材は、少なくとも支持用線材を起立したときに係止可能な構成としたものであり、食器類や調理器具類をセットするとき、支持用線材を起立状態の姿勢に維持することができるため、使い勝手をより向上できるとともに、信頼性を向上することができる。
【００１５】
請求項４に記載の発明は、上記請求項３に記載の発明において、連結部材は、回動部の周囲に突起部を設け、少なくとも支持用線材を起立したときにその状態を維持するように、前記突起部をかごに設けた規制用線材に当接可能な構成としたものであり、食器類や調理器具類をセットするとき、突起部をかごに設けた規制用線材に当接させることで、支持用線材を起立状態の姿勢に維持することができるため、使い勝手をより向上できるとともに、信頼性を向上することができる。
【００１６】
請求項５に記載の発明は、上記請求項３に記載の発明において、連結部材は、少なくとも支持用線材を起立したときにその状態を維持する係止部を有し、前記係止部をかごに設けた規制用線材に係止可能な構成としたものであり、係止部をかごに設けた規制用線材に係止することで、支持用線材を起立状態の姿勢に維持することができ、かつ食器セット時に容易に傾倒するのを防止できるため、使い勝手をより向上できるとともに、信頼性を向上することができる。
【００１７】
請求項６に記載の発明は、上記請求項５に記載の発明において、連結部材は、回動部の周囲に突起部を有し、この突起部の近傍に略爪形状の係止部を設け、少なくとも支持用線材を起立したときに、載置用線材と略並行に設けた規制用線材に前記係止部を引っ掛けることにより係止可能な構成としたものであり、載置用線材と略並行に設けた規制用線材に係止部を引っ掛けて係止することで、支持用線材を起立状態の姿勢に維持することができ、かつ食器セット時に容易に傾倒するのを防止できるため、使い勝手をより向上できるとともに、信頼性を向上することができる。
【００１８】
請求項７に記載の発明は、上記請求項１〜６に記載の発明において、支持用線材は、その起立時に、重心が載置用線材を境にして傾倒側とは反対側の起立側に存在するよう構成したものであり、支持用線材を起立状態の姿勢に確実に維持することができるため、使い勝手をより向上できるとともに、信頼性を向上することができる。
【００１９】
請求項８に記載の発明は、上記請求項１〜７に記載の発明において、支持用線材は、その傾倒時に、互いに対向する一対の支持用線材が干渉しない構成としたものであり、支持用線材を起立状態から傾倒状態に移行させるとき、互いに対向する支持用線材が障害となるのを防止することができるため、使い勝手をより向上できるとともに、信頼性を向上することができる。
【００２０】
請求項９に記載の発明は、上記請求項１〜８に記載の発明において、互いに対向する一対の支持用線材を、載置用線材の長手方向に相互に位置をずらすよう構成したものであり、支持用線材を起立状態から傾倒状態に移行させるとき、互いに対向する支持用線材が障害となるのを防止することができるため、使い勝手をより向上できるとともに、信頼性を向上することができる。
【００２１】
請求項１０に記載の発明は、上記請求項１〜９に記載の発明において、一方の載置用線材に連結した支持用線材を傾倒するとき、他方の載置用線材に干渉しない長さとしたものであり、支持用線材を傾倒するとき、食器かごの底面をよりフラットに構成することができ、食器類のセット性の自由度を広げることができるため、使い勝手をより向上することができる。
【００２２】
請求項１１に記載の発明は、上記請求項１０に記載の発明において、連結部材は、支持用線材を傾倒したときその状態を維持する当接部を有し、この当接部をかごに設けた規制用線材に当接可能な構成としたものであり、支持用線材を傾倒したとき、食器かごの底面をよりフラットに構成することで、食器類のセット性の自由度を広げることができ、かつ支持用線材が傾倒している状態を維持することができるため、使い勝手をより向上できるとともに、信頼性を向上することができる。
【００２３】
請求項１２に記載の発明は、上記請求項１〜１１に記載の発明において、個々の支持用線材が各々の起立状態を複数の段階で設定できるよう構成したものであり、個々の支持用線材の起立状態の姿勢を選択することができるため、食器類の収容容量を多くすることができ、使い勝手をより向上できるとともに、信頼性を向上することができる。
【００２４】
請求項１３に記載の発明は、上記請求項１２に記載の発明において、連結部材は、回動部の周囲に複数の突起部を設けたものであり、個々の支持用線材の起立状態の姿勢を選択することができるため、食器類の収容容量を多くすることができ、使い勝手を向上できるとともに、信頼性を向上することができる。
【００２５】
請求項１４に記載の発明は、上記請求項１〜１３に記載の発明において、連結部材は、支持用線材を傾倒したとき、食器類を支持可能な支持部を設けたものであり、支持用線材が傾倒している状態においても、食器類を支持する機能を持たせることができるため、食器類の収容容量を多くすることができ、使い勝手を向上できるとともに、信頼性を向上することができる。
【００２６】
請求項１５に記載の発明は、上記請求項１４に記載の発明において、支持部を線材で構成したものであり、支持用線材が傾倒している状態においても、食器類を支持する機能を持たせることや支持用線材の長さを選択することができるため、食器類の収容容量を多くすることができ、使い勝手を向上できるとともに、信頼性を向上することができる。
【００２７】
請求項１６に記載の発明は、上記請求項１〜１５に記載の発明において、支持用線材と連結部材を一体に構成したものであり、支持用線材と連結部材を一体に構成することで、廉価で、使い勝手を向上できるとともに、信頼性を向上することができる。
【００２８】
【実施例】
以下、本発明の実施例について、図面を参照しながら説明する。
【００２９】
（実施例１）
図１に示すように、食器かご１５は、底部に第１の載置用線材（載置用線材）１６と第２の載置用線材（載置用線材）１７を略平行に固定し、第１の載置用線材１６に、複数の連結部材１８ａ〜１８ｆを回動自在に設けている。各連結部材１８ａ〜１８ｆには支持用線材１９ａ〜１９ｆを固定している。
【００３０】
ここで、各連結部材１８ａ〜１８ｆは、それぞれ第１の載置用線材１６に対して回転可能な回動部と支持用線材を固定する固定部とで構成し、支持用線材１９ａ〜１９ｆを第１の載置用線材１６に対して回動可能としている。
【００３１】
支持用線材１９ａ〜１９ｆは同じ長さであり、相互に略平行に、かつ略等間隔に配置している。各連結部材１８ａ〜１８ｆは突起部２０ａ〜２０ｆを有しており、各支持用線材１９ａ〜１９ｆが起立状態にあるとき、各突起部２０ａ〜２０ｆは第１の載置用線材１６の近傍に第１の載置用線材１６と略平行に設けた第１の当接用線材２１の上側に当接するようにしている。
【００３２】
また、図２に示すように、第２の載置用線材１７にも同様の連結部材１８、食器支持用線材１９および突起部２０を設け、第２の載置用線材１７の近傍に第２の載置用線材１７と略平行に第２の当接用線材２２を配しており、第１の載置用線材１６と第２の載置用線材１７の中心を境に略対称の位置に配置している。相互に対向する位置にある支持用線材１９ａ〜１９ｆはその起立時において、各々の下端間の距離が上端間の距離以下になるよう突起部および当接用線材を配置している。また、支持用線材１９ａ〜１９ｆは、傾倒状態で第２の載置用線材１７に当接するよう長さを設定している。
【００３３】
上記構成において作用を説明すると、使用者が比較的浅い皿２３をセットする場合、相互に隣立する支持用線材１９ａ、１９ｂを起立状態にしてセットすれば、皿２３は起立した状態で安定してセットすることができ、より少ないスペースでかつ下方からの洗浄水を効率よく当てることができる。
【００３４】
また、略桶状の比較的深い鍋２４をセットする場合、支持用線材１９ｄ、１９ｆを起立状態とし、支持用線材１９ｅを傾倒状態とすることで、鍋２４の外周面と支持用線材１９ｅが干渉するのを防止することができ、鍋２４は起立した状態で安定してセットすることができる。
【００３５】
鍋の深さがさらに深い場合は、セットする鍋の深さに合わせて鍋の両端を支持できる位置の支持用線材、例えば支持用線材１９ａ、１９ｅを起立させ、その間にある支持用線材１９ｂ、１９ｃ、１９ｄは傾倒させることによって、より深い鍋を安定してセットすることができる。また、深みのある椀類等の食器についても同様である。また、各食器類や調理器具類を起立状態でセットできるため、食器類の収容容量も最大に確保できる。
【００３６】
なお、連結部材１８ａには、突起部２０ａを設けてあり、支持用線材１９ａを起立状態にしたとき、突起部２０ａが第１の当接用線材２１の上側に当接し、連結部材１８ａの回転を止めるため、使用者は容易に支持用線材１９ａを起立状態にすることができる。
【００３７】
このように本実施例によれば、支持用線材１９ａ〜１９ｆの起立状態と傾倒状態を個々に独立して自由に選択できることにより、多岐にわたる食器類や調理器具類の形状や大きさに柔軟に対応し、安定してセットすることができ、かつ洗浄水を効率よく当てるとともに、食器類の収容容量を確保することができるため、使い勝手がよく、信頼性の高い食器洗い機等のかごを提供することができる。
【００３８】
また、各連結部材１８ａ〜１８ｆは、それぞれ第１の載置用線材１６に対して回転可能な回動部と支持用線材を固定する固定部とで構成し、支持用線材１９ａ〜１９ｆを第１の載置用線材１６に対して回動可能としているので、食器類や調理器具類の形状にかかわらず、最適な支持形態を選択することができ、安定してセット姿勢を保持することができ、かつ洗浄水を効率よく食器類に当てることができるとともに、食器類の収容容量を確保することができるため、使い勝手がよく、信頼性の高い食器洗い機等のかごを提供することができる。
【００３９】
（実施例２）
図３に示すように、第１の載置用線材１６は、上記実施例１と同様に、複数の連結部材２５ａ〜２５ｆ（図示せず）で構成した連結部材２５を回動自在に設けており、各連結部材２５にはそれぞれ支持用線材２６を固定している。これら複数の支持用線材２６は同じ長さであり、相互に略平行に、かつ略等間隔に配置している。各連結部材２５は回動部の周囲に突起部２７を有するとともに、各突起部２７に対して、垂直に設けた爪形状の係止部２８を有している。
【００４０】
複数の支持用線材２６の内、たとえば、支持用線材２６ａが起立状態にあるとき、支持用線材２６ａを固定した連結部材２５ａに設けた突起部２７ａは、第１の載置用線材１６の近傍に第１の載置用線材１６と略平行に設けた第１の当接用線材（規制用線材）２１の上側に当接するよう構成している。
【００４１】
このとき、係止部２８ａの爪部は第１の当接用線材２１の下側に当接しており、支持用線材２６ａの起立姿勢を維持している。係止部２８ａは、爪形状であるため弾性を有しており、支持用線材２６ａの起立状態と傾倒状態の移行は比較的容易である。なお、この構成は各連結部材２５ａ〜２５ｆにおいて同様である。また、第２の載置用線材１７にも、同様の連結部材２５を回動自在に設けている。他の構成は実施例１と同じである。
【００４２】
上記構成において作用を説明すると、セットする食器類や調理器具類の形状や大きさに合わせて、使用者が各支持用線材２６を起立させるか、傾倒させるかを個々に選択できる。
【００４３】
たとえば、使用者が複数の支持用線材２６の内、支持用線材２６ｂを起立状態で使用するために起立させるとき、係止部２８ｂが弾性によってたわんだ後、爪部が当接用線材２６ｂの下側に入って当接する。このため、起立させるときのクリック感を得ることができ、起立状態を容易に確認できるとともに、食器をセットするときに支持用線材２６ｂが容易に傾倒しないため、セット時の使い勝手も良好である。
【００４４】
このように本実施例によれば、支持用線材２６の起立状態と傾倒状態を個々に独立して自由に選択できることにより、食器類のセット時の安定性や、洗浄水の効率的活用、食器類の収容容量の確保を実現できるとともに、支持用線材２６の起立姿勢を容易に維持することができるため、より使い勝手がよく、信頼性の高い食器洗い機等のかごを提供することができる。
【００４５】
（実施例３）
図４に示すように、第１の載置用線材１６は、上記実施例１と同様に、複数の連結部材２９ａ〜２９ｆ（図示せず）で構成する連結部材２９を回動自在に設けており、各連結部材２９にそれぞれ支持用線材３０を固定している。これら複数の支持用線材３０は同じ長さであり、相互に略平行に、かつ略等間隔に配置するとともに、先端を第２の載置用線材１７とは反対側に曲げることにより、支持用線材３０の重心Ｇを第１の載置用線材１６を境にして第２の載置用線材１７とは反対側に位置するように構成している。また、第２の載置用線材１７にも、同様の連結部材２９を回動自在に設け、支持用線材３０を固定している。他の構成は実施例１と同じである。
【００４６】
上記構成において作用を説明すると、セットする食器類や調理器具類の形状や大きさに合わせて、使用者が各支持用線材３０を起立させるか、傾倒させるかを個々に選択できる。
【００４７】
たとえば、使用者が複数の支持用線材３０の内、支持用線材３０ｃを起立状態で使用するために起立させるとき、起立状態において支持用線材３０ｃの重心Ｇは第１の載置用線材１６を境にして第２の載置用線材１７とは反対側にあるため、支持用線材３０ｃはＡ方向に付勢されている。したがって、起立状態を容易に設定できるとともに、食器類をセットするときに支持用線材３０ｃが容易に傾倒しないため、セット時の使い勝手も良好である。
【００４８】
このように本実施例によれば、支持用線材３０の起立状態と傾倒状態を個々に独立して自由に選択できることにより、食器類のセット時の安定性や、洗浄水の効率的活用、食器類の収容容量の確保を実現できるとともに、支持用線材３０の起立姿勢を容易に維持することができるため、より使い勝手がよく、信頼性の高い食器洗い機等のかごを提供することができる。
【００４９】
なお、本実施例では、支持用線材３０の先端を曲げることで、重心Ｇの位置を設定したが、支持用線材３０の長さを長くする方法等、他の方法によって重心Ｇの位置を設定しても同様の効果を得ることができる。
【００５０】
（実施例４）
図５に示すように、第１の載置用線材１６は、複数の連結部材３１ａ〜３１ｆを回動自在に設けており、各連結部材３１ａ〜３１ｆには支持用線材３２ａ〜３２ｆを固定している。支持用線材３２ａ〜３２ｆは同じ長さであり、相互に略平行に、かつ略等間隔に配置している。
【００５１】
第２の載置用線材１７には、第１の載置用線材１６との中心線を境にして、支持用線材３２ａ〜３２ｆとは線対称に近い状態で、起立可能な支持用線材３３ａ〜３３ｆを回動自在に設けている。支持用線材３２ａ〜３２ｆと支持用線材３３ａ〜３３ｆは、相互に対向する支持用線材同士が、各々の載置用線材１６および１７の長手方向に若干位置をずらして配置されており、双方の支持用線材が傾倒状態にあるとき、互いに接触しないように構成している。他の構成は実施例１と同じである。
【００５２】
上記構成において作用を説明すると、セットする食器類や調理器具類の形状や大きさに合わせて、使用者が支持用線材３２ａ〜３２ｆ、３３ａ〜３３ｆを起立させるか、傾倒させるかを個々に選択できる。
【００５３】
たとえば、使用者が支持用線材３２ｄおよび３３ｄを傾倒状態で使用するために傾倒させたとき、支持用線材３２ｄと支持用線材３３ｄは傾倒状態で接触しないため、各々が完全な傾倒状態で安定することができる。このため、食器類や調理器具類の外周面と傾倒状態の支持用線材３２ｄおよび３３ｄとの干渉を確実に防止することができる。
【００５４】
このように本実施例によれば、支持用線材３２ａ〜３２ｆ、３３ａ〜３３ｆの起立状態と傾倒状態を個々に独立して自由に選択できることにより、食器類のセット時の安定性や、洗浄水の効率的活用、食器類の収容容量の確保を実現できるとともに、支持用線材３２ａ〜３２ｆ、３３ａ〜３３ｆの完全な傾倒姿勢を確保することができるため、より使い勝手がよく、信頼性の高い食器洗い機等のかごを提供することができる。
【００５５】
（実施例５）
図６に示すように、第１の載置用線材１６は、複数の連結部材３４ａ〜３４ｆを回動自在に設けており、各連結部材３４ａ〜３４ｆには支持用線材３５ａ〜３５ｆを固定している。支持用線材３５ａ〜３５ｆは同じ長さであり、相互に略平行に、かつ略等間隔に配置している。
【００５６】
各連結部材３４ａ〜３４ｆはその起立姿勢を維持するための第１の突起部３６ａ〜３６ｆを有するとともに、第２の突起部（当接部）３７ａ〜３７ｆを有しており、各支持用線材３５ａ〜３５ｆが傾倒状態にあるとき、第２の突起部３７ａ〜３７ｆは第１の載置用線材１６の近傍に第１の載置用線材１６と略平行に設けた第１の当接用線材（規制用線材）２１の下側に当接するようにしている。
【００５７】
第２の載置用線材１７には、同様に構成した連結部材を回動自在に設け、第１の載置用線材１６との中心線を境にして、支持用線材３５ａ〜３５ｆとは線対称に近い状態で起立可能な支持用線材３８ａ〜３８ｆを回動自在に設けている。支持用線材３５ａ〜３５ｆと支持用線材３８ａ〜３８ｆは、相互に対向する支持用線材同士が、第１の載置用線材１６および第２の載置用線材１７の長手方向に若干位置をずらして配置しており、双方の支持用線材が傾倒状態にあるとき、互いに接触しないように構成している。
【００５８】
また、図７に示すように、支持用線材３５ａ〜３５ｆを構成する支持用線材３５はその傾倒状態において、先端が第２の載置用線材１７よりも第１の載置用線材１６側に位置し、支持用線材３８ａ〜３８ｆを構成する支持用線材３８はその傾倒状態において、先端が第１の載置用線材１６よりも第２の載置用線材１７側に位置するように長さを設定している。他の構成は実施例１と同じである。
【００５９】
上記構成において作用を説明すると、セットする食器類や調理器具類の形状や大きさに合わせて、使用者が支持用線材３５ａ〜３５ｆ、３８ａ〜３８ｆを起立させるか傾倒させるかを個々に選択できる。
【００６０】
たとえば、使用者が支持用線材３５ｅおよび３８ｅを傾倒状態で使用するために傾倒させたとき、支持用線材３５ｅは第２の載置用線材１７と干渉することがなく、また、支持用線材３８ｅは第１の載置用線材１６と干渉することがないため、支持用線材３５ｅおよび３８ｅはきわめて水平に近い状態まで傾倒することができ、食器類や調理器具類の外周面と傾倒状態の支持用線材３５ｅおよび３８ｅとの干渉を確実に防止することができる。
【００６１】
また、支持用線材３５ｅが傾倒状態のとき、第２の突起部３７ｅが当接用線材２１の下側に当接することによって、支持用線材３５ｅがそれ以上下方へ回転するのを防止し、傾倒姿勢を維持することができるため、食器かごの下方で回転する洗浄ノズル７に接触するのを防止できる。
【００６２】
このように本実施例によれば、支持用線材３５ａ〜３５ｆ、３８ａ〜３８ｆの起立状態と傾倒状態を個々に独立して自由に選択できることにより、食器類のセット時の安定性や、洗浄水の効率的活用、食器類の収容容量の確保を実現できるとともに、支持用線材３５ａ〜３５ｆ、３８ａ〜３８ｆの傾倒姿勢を極めて水平に近い状態で維持することができるため、より使い勝手がよく、信頼性の高い食器洗い機等のかごを提供することができる。
【００６３】
（実施例６）
図８に示すように、第１の載置用線材１６は、上記実施例１と同様に、複数の連結部材３９ａ〜３９ｆ（図示せず）で構成する連結部材３９を回動自在に設けており、各連結部材３９にはそれぞれ支持用線材４０を固定している。これら複数の支持用線材４０は同じ長さであり、相互に略平行に、かつ略等間隔に配置している。
【００６４】
連結部材３９はそれぞれ突起部４１を有するとともに、各突起部４１に対してそれぞれ垂直に設けた姿勢規制部４２を有している。姿勢規制部４２は、第１の載置用線材１６の径方向に放射状に凹凸を有しており、各凹部は当接用線材２１と係合可能な位置関係にある。第２の載置用線材１７にも、同様の連結部材３９を回動自在に設けている。他の構成は実施例１と同じである。
【００６５】
上記構成において作用を説明すると、セットする食器類や調理器具類の形状や大きさに合わせて、使用者が各支持用線材４０を起立させるか傾倒させるかを個々に選択できる。
【００６６】
たとえば、使用者が比較的深みのある椀形状の食器をセットする場合、複数の支持用線材４０の内、支持用線材４０ａをやや傾倒した姿勢に設定して食器の開口部側の周端部を支持し、支持用線材４０ｂを最も起立した姿勢に設定して食器の外周部を支持することができる。
【００６７】
このとき、開口部がやや下向きの姿勢となるため、洗浄水を効率よく当てることができる。さらに、隣に食器をセットする場合は、支持用線材４０ｂによって食器の周端部を支持することができるため、より多くの食器を収容することができる。
【００６８】
このように本実施例によれば、支持用線材４０の起立状態と傾倒状態を個々に独立して自由に選択できることにより、食器類のセット時の安定性や、洗浄水の効率的活用を実現できるとともに、支持用線材４０の起立姿勢を複数段階に設定できるため、より食器類の収容容量が多く、使い勝手がよく、かつ信頼性の高い食器洗い機等のかごを提供することができる。
【００６９】
（実施例７）
図９に示すように、第１の載置用線材１６は、上記実施例１と同様に、複数の連結部材４３ａ〜４３ｆ（図示せず）で構成した連結部材４３を回動自在に設けており、各連結部材４３にそれぞれ第１の支持用線材部（支持用線材）４４を一体に形成している。これら複数の第１の支持用線材部４４は同じ長さであり、相互に略平行に、かつ略等間隔に配置している。
【００７０】
また、複数の各連結部材４３には第１の支持用線材部４４よりも長さが短い第２の支持用線材部（支持部）４５を一体に形成しており、第１の支持用線材部４４が傾倒している状態において、食器類を支持可能な状態に起立する構成になっている。ここで、第２の支持用線材部４５を線材で構成している。第２の載置用線材１７にも、同様の連結部材４３を回動自在に設けている。他の構成は実施例１と同じである。
【００７１】
上記構成において作用を説明すると、セットする食器類や調理器具類の形状や大きさに合わせて、使用者が各第１の支持用線材４４を起立させるか傾倒させるかを個々に選択できる。
【００７２】
たとえば、使用者が比較的深みのある椀形状の食器をセットする場合、複数の第１の支持用線材部４４の内、第１の支持用線材部４４ｂを起立状態に設定して食器の周端部を支持し、第１の支持用線材部４４ｃを傾倒状態に設定することにより、第２の支持用線材部４５ｃを起立させて、食器の外周部を支持することができる。
【００７３】
さらに、隣に食器をセットする場合は、第２の支持用線材部４５ｃによって食器の周端部を支持することができるため、より多くの食器を収容することができる。また、連結部材４３と第１の支持用線材部４４および第２の支持用線材部４５を一体に形成しているため、廉価な部品として提供することができる。
【００７４】
このように本実施例によれば、第１の支持用線材４４の起立状態と傾倒状態を個々に独立して自由に選択できることにより、食器類のセット時の安定性や、洗浄水の効率的活用を実現できるとともに、第１の支持用線材４４が傾倒している状態において第２の支持用線材４５が第１の支持用線材４４よりも低い高さで起立するため、より食器類の収容容量が多く、使い勝手がよく、信頼性が高く、廉価な食器洗い機等のかごを提供することができる。
【００７５】
【発明の効果】
以上のように本発明の請求項１に記載の発明によれば、略平行な載置用線材と、前記載置用線材と交差し相互に平行に隣立する複数の支持用線材とを備え、前記支持用線材は、個々に独立して起立状態から略水平状態に傾倒可能な構成としたから、個々の支持用線材を独立して傾倒状態または起立状態を選択可能な構成とすることにより、食器類や調理器具類の形状にかかわらず、最適な支持形態を選択することができ、使い勝手を向上できるとともに、信頼性を向上することができる。
【００７６】
また、請求項２に記載の発明によれば、載置用線材と複数の支持用線材はそれぞれ連結部材を介して連結し、前記連結部材は、前記載置用線材に対して回転可能な回動部と前記支持用線材を固定する固定部とで構成したから、食器類や調理器具類の形状にかかわらず、最適な支持形態を選択することができ、使い勝手を向上できるとともに、信頼性を向上することができる。
【００７７】
また、請求項３に記載の発明によれば、連結部材は、少なくとも支持用線材を起立したときに係止可能な構成としたから、食器類や調理器具類をセットするとき、支持用線材を起立状態の姿勢に維持することができるため、使い勝手をより向上できるとともに、信頼性を向上することができる。
【００７８】
また、請求項４に記載の発明によれば、連結部材は、回動部の周囲に突起部を設け、少なくとも支持用線材を起立したときにその状態を維持するように、前記突起部をかごに設けた規制用線材に当接可能な構成としたから、食器類や調理器具類をセットするとき、突起部をかごに設けた規制用線材に当接させることで、支持用線材を起立状態の姿勢に維持することができるため、使い勝手をより向上できるとともに、信頼性を向上することができる。
【００７９】
また、請求項５に記載の発明によれば、連結部材は、少なくとも支持用線材を起立したときにその状態を維持する係止部を有し、前記係止部をかごに設けた規制用線材に係止可能な構成としたから、支持用線材を起立状態の姿勢に維持することができ、かつ食器セット時に容易に傾倒するのを防止できるため、使い勝手をより向上できるとともに、信頼性を向上することができる。
【００８０】
また、請求項６に記載の発明によれば、連結部材は、回動部の周囲に突起部を有し、この突起部の近傍に略爪形状の係止部を設け、少なくとも支持用線材を起立したときに、載置用線材と略並行に設けた規制用線材に前記係止部を引っ掛けることにより係止可能な構成としたから、支持用線材を起立状態の姿勢に維持することができ、かつ食器セット時に容易に傾倒するのを防止できるため、使い勝手をより向上できるとともに、信頼性を向上することができる。
【００８１】
また、請求項７に記載の発明によれば、支持用線材は、その起立時に、重心が載置用線材を境にして傾倒側とは反対側の起立側に存在するよう構成したから、支持用線材を起立状態の姿勢に確実に維持することができるため、使い勝手をより向上できるとともに、信頼性を向上することができる。
【００８２】
また、請求項８に記載の発明によれば、支持用線材は、その傾倒時に、互いに対向する一対の支持用線材が干渉しない構成としたから、支持用線材を起立状態から傾倒状態に移行させるとき、互いに対向する支持用線材が障害となるのを防止することができるため、使い勝手をより向上できるとともに、信頼性を向上することができる。
【００８３】
また、請求項９に記載の発明によれば、互いに対向する一対の支持用線材を、載置用線材の長手方向に相互に位置をずらすよう構成したから、支持用線材を起立状態から傾倒状態に移行させるとき、互いに対向する支持用線材が障害となるのを防止することができるため、使い勝手をより向上できるとともに、信頼性を向上することができる。
【００８４】
また、請求項１０に記載の発明によれば、一方の載置用線材に連結した支持用線材を傾倒するとき、他方の載置用線材に干渉しない長さとしたから、支持用線材を傾倒するとき、食器かごの底面をよりフラットに構成することができ、食器類のセット性の自由度を広げることができるため、使い勝手をより向上することができる。
【００８５】
また、請求項１１に記載の発明によれば、連結部材は、支持用線材を傾倒したときその状態を維持する当接部を有し、この当接部をかごに設けた規制用線材に当接可能な構成としたから、食器類のセット性の自由度を広げることができ、かつ支持用線材が傾倒している状態を維持することができるため、使い勝手をより向上できるとともに、信頼性を向上することができる。
【００８６】
また、請求項１２に記載の発明によれば、個々の支持用線材が各々の起立状態を複数の段階で設定できるよう構成したから、食器類の収容容量を多くすることができ、使い勝手をより向上できるとともに、信頼性を向上することができる。
【００８７】
また、請求項１３に記載の発明によれば、連結部材は、回動部の周囲に複数の突起部を設けたから、食器類の収容容量を多くすることができ、使い勝手を向上できるとともに、信頼性を向上することができる。
【００８８】
また、請求項１４に記載の発明によれば、連結部材は、支持用線材を傾倒したとき、食器類を支持可能な支持部を設けたから、支持用線材が傾倒している状態においても、食器類を支持する機能を持たせることができるため、食器類の収容容量を多くすることができ、使い勝手を向上できるとともに、信頼性を向上することができる。
【００８９】
また、請求項１５に記載の発明によれば、支持部を線材で構成したから、食器類の収容容量を多くすることができ、使い勝手を向上できるとともに、信頼性を向上することができる。
【００９０】
また、請求項１６に記載の発明によれば、支持用線材と連結部材を一体に構成したから、廉価で、使い勝手を向上できるとともに、信頼性を向上することができる。
【図面の簡単な説明】
【図１】  本発明の第１の実施例の食器洗い機等のかごの要部斜視図
【図２】  同食器洗い機等のかごの要部拡大断面図
【図３】  本発明の第２の実施例の食器洗い機等のかごの要部断面図
【図４】  本発明の第３の実施例の食器洗い機等のかごの要部断面図
【図５】  本発明の第４の実施例の食器洗い機等のかごの要部平面図
【図６】  本発明の第５の実施例の食器洗い機等のかごの要部平面図
【図７】  同食器洗い機等のかごの要部拡大断面図
【図８】  本発明の第６の実施例の食器洗い機等のかごの要部断面図
【図９】  本発明の第７の実施例の食器洗い機等のかごの要部断面図
【図１０】  従来の食器洗い機等のかごを備えた食器洗い機の縦断面図
【図１１】  同食器洗い機等のかごの一部切欠した斜視図
【符号の説明】
１６  第１の載置用線材（載置用線材）
１７  第２の載置用線材（載置用線材）
１９ａ〜１９ｆ  支持用線材
【図１】
0004492004.tif 000002
【図２】
0004492004.tif 000003
【図３】
0004492004.tif 000004
【図４】
0004492004.tif 000005
【図５】
0004492004.tif 000006
【図６】
0004492004.tif 000007
【図７】
0004492004.tif 000008
【図８】
0004492004.tif 000009
【図９】
0004492004.tif 000010
【図１０】
0004492004.tif 000011
【図１１】
0004492004.tif 000012